(57)【要約】【課題】            １本の線材によって構成されているクリップを具備している筆記用具、又は化粧用具の構成を提供すること。【解決手段】        曲げ弾性を有している１本の線材によって形成されたクリップ２につき、筆記用具又は化粧用具の本体１に対して締着する根元部分２１を、円輪状又は多角形状による一重又は多重の線材によって形成し、前記本体１に沿った保持部分２２を該根元部分２１から延伸し、かつ先端において連結する両側の線材によって形成し、中途部位において前記本体１側に突出した状態とし、かつ当該突出部分を前記本体１の外側表面と当接するか、又は当該外側表面に近接した状態とすることに基づき、シャープかつ簡潔な構造を有し、しかも製造方法が簡便であり、かつ製造コストが安価である筆記用具、又は化粧用具。【選択図】          図１
2005088314.tif 000002
【特許請求の範囲】
【請求項１】
曲げ弾性を有している１本の線材によって形成されたクリップにつき、筆記用具又は化粧用具の本体に対して締着する根元部分を、円輪状又は多角形状による一重又は多重の線材によって形成し、前記本体に沿った保持部を該根元部分から延伸し、かつ先端において連結する両側の線材によって形成し、中途部位において前記本体側に突出した状態とし、かつ当該突出部分を前記本体の外側表面と当接するか、又は当該外側表面に近接した状態とすることに基づく筆記用具、又は化粧用具。
【請求項２】
筆記用具、又は化粧用具本体において、クリップの根元部分による締着が行われている部位に沿って溝を設けたことを特徴とする請求項１記載の筆記用具、又は化粧用具。
【請求項３】
筆記用具、又は化粧用具の本体に対する締着が行われている根元部分の内側に、筆記用具本体又は化粧用具本体の表面から突入するための突部を設けたことを特徴とする請求項１記載の筆記用具、又は化粧用具。
【請求項４】
クリップの保持部が順次湾曲した状態にて内側に突出することを特徴とする請求項１記載の筆記用具、又は化粧用具。
【発明の詳細な説明】
【技術分野】
【０００１】
本発明は、１本の線材によって形成されているクリップを有している筆記用具、又は化粧用具に関するものである。
【背景技術】
【０００２】
万年筆、ボールペン、シャープペンシルなどの筆記用具、更には化粧ペンなどの化粧用具において、本体をポケット内に挿入し、かつポケットの縁に保持させるために、クリップを当該本体に接続することは、周知かつ当然に採用されている技術的手法である。
【０００３】
前記クリップとしては、一定の幅を有していた状態によって形成されており、本体との接続構造としては、
（１）本体と一体形成を行う場合
（２）一定の幅を有する円輪状又は多角形状の根元部分を用いて、本体に締着を行う場合
（３）本体の内側と特殊な構成によって接続を行う場合
の何れかが採用されている。
【０００４】
化粧ペン、及びボールペンの場合には、（１）が採用される場合が多く、万年筆及びシャープペンシルの場合には、前記（２）、（３）の構造が採用される場合が多い。
【０００５】
しかしながら、クリップは、筆記用具、又は化粧用具において、本来の機能を発揮する部分ではなく、あくまで前記のような保持を行うことを目的としており、簡便な素材を採用することが好ましい。
【０００６】
しかるに、従来筆記用具又は化粧用具の分野において、１本の線材によって形成されたクリップは、これまで提唱されている訳ではない。
【０００７】
【特許文献１】特開昭５６−１２７４９５号公報。
【０００８】
【特許文献２】特開平８−２５８４８８号公報。
【０００９】
【特許文献３】特開平９−１０４１９６号公報。
【００１０】
【特許文献４】特開平９−２９５４９３号公報。
【００１１】
【特許文献５】特開２０００−４３４８１号公報。
【発明の開示】
【発明が解決しようとする課題】
【００１２】
本発明は、１本の線材によって形成されたクリップを採用し、当該クリップとの接続構造を実現している筆記用具、又は化粧用具の構成を提供することを発明の課題としている。
【課題を解決するための手段】
【００１３】
前記課題を解決するため、本発明の構成は、曲げ弾性を有している１本の線材によって形成されたクリップにつき、筆記用具又は化粧用具の本体に対して締着する根元部分を、円輪状又は多角形状による一重又は多重の線材によって形成し、前記本体に沿った保持部を該根元部分から延伸し、かつ先端において連結する両側の線材によって形成し、中途部位において前記本体側に突出した状態とし、かつ当該突出部分を前記本体の外側表面と当接するか、又は当該外側表面に近接した状態とすることに基づく筆記用具、又は化粧用具からなる。
【発明の効果】
【００１４】
本発明による筆記用具、又は化粧用具は、１本の線材によってクリップを形成することによって、シャープかつ簡潔な構成によるクリップを有すると共に、生産工程を簡略化し、かつ生産コストを安価にすることを挙げるという効果を発揮することができる。
【発明を実施するための最良の形態】
【００１５】
本発明に係る筆記用具、又は化粧用具は、図１（ａ）、（ｂ）に示すように、１本の線材によって形成され、かつ当該線材は、根元部分２１において円輪状又は多角形状を形成して、筆記用具、又は化粧用具の本体１（以下、単に「本体」と略称する。）に締着されている。
【００１６】
前記根元部分２１が、図１（ａ）に示すように、一重の線材によって形成されている場合と、図１（ｂ）に示すように、多重の線材によって形成されている場合（尚、図１（ｂ）では、二重の場合を示す。）の双方を採用することができる。
【００１７】
クリップの保持部分２２は、両側の線材が、図１（ａ）、（ｂ）に示すように、本体１と接続する根元部分２１から所定の幅を以って本体１の長手方向に沿って延伸し、かつ先端において接合されることによって形成されている。
【００１８】
そして、保持部分２２は、前記のように延伸している中途部位において、本体１側に突出した状態とし、かつ当該突出部分を本体１の外表面と当接するか、又は近接した状態としている。
【００１９】
このように、クリップ２を１本の線材によって形成することによって、本発明の筆記用具、又は化粧用具は、従来技術の前記（１）、(２)、（３）の構成に比し、極めてシャープかつ簡潔な構成となっている。
【００２０】
前記線材は、曲げ弾性を有していることから、ポケットの縁などの対象物を本体１との間において挟持し、かつ当該挟持によって本体１との間を広げられるような作用を受けた場合には、前記のように、本体１側に突出している部位を介して、当該作用に対抗して対象物を内側に押圧するような弾性力を発揮することができる。
【００２１】
このように、弾性力によって、対象物に対する挟持は、２本の線材によって実現されていることから、対象物と接触する面積は、従来技術のクリップに比し、桁違いに小さいため、対象物の内側に食い込むことによって、効率的な保持を行うことができる。尚、前記弾性力によって対象物を押圧する際、前記の突出部分と根元部分２１との距離によって対象物を押圧するモーメントが左右されるが、より大きなモーメントを得るために、突出部分を本体１方向に沿って延伸している両側の線材の先端付近とする場合が多い。
【００２２】
しかも、突出部分を先端付近とすることによって、該先端と本体１表面との距離をコンパクトな設計とすることができる。
【００２３】
円輪状又は多角形状の根元部分２１と、本体１とを安定した状態にて接続するためには、図２に示すように、本体１において根元部分２１が締着する部位に溝３を形成し、当該溝３内において締着を行う構成、又は図３に示すように、根元部分２１の内側に、本体１表面から突入するための複数の刃状突部４を設けるような実施形態を採用することができる。
【００２４】
クリップ２を本体１に締着させるための実際の製造工程では、予め一重又は多重の線材による根元部分２１を有しているクリップ２を製造しておき、金型によって本体１部分が当該根元部分２１の形状と密接に接続するように成型することによって、効率的な締着を実現することができる。
【００２５】
以下、実施例に従って説明する。
【実施例】
【００２６】
実施例においては、図４に示すように、クリップの保持部分２２が順次湾曲した状態にて内側に突出することを特徴としている。
【００２７】
このような順次湾曲した形状によって、クリップ２と本体１とが対象物を挟持した際、クリップ２と対象物とが接触する領域が長くなると共に、対象物を円滑にクリップ２と本体１との間に挿入することが可能となる。
【産業上の利用可能性】
【００２８】
クリップについて、特徴ある構成を採用している本発明は、クリップ付の筆記用具、及び化粧用具の分野において利用することができる。
【図面の簡単な説明】
【００２９】
【図１】本発明の基本構成を示す斜視図であり、（ａ）は、根元部分が１本の線材によって形成されている場合を示しており、（ｂ）は、根元部分が複数（２本）の線材によって形成された場合を示している。
【図２】本体においてクリップの根元部分が締着する部位に溝を設けた実施形態を示す長手方向に沿った方向の側断面図である。
【図３】クリップの根元部分の内側に本体の表面に突入するような複数の突部を設けた実施形態を示す長手方向と直交する方向の側面図である。
【図４】実施例に係るクリップの構成を示す長手方向に沿った方向の側面図である。
【符号の説明】
【００３０】
１  筆記用具、又は化粧用具の本体
２  クリップ
２１  クリップの根元部分
２２  クリップの保持部分
３  溝
４  突部
【図１】
2005088314.tif 000003
【図２】
2005088314.tif 000004
【図３】
2005088314.tif 000005
【図４】
2005088314.tif 000006